(57)【要約】【課題】十字目地部やＴ十字目地部、直線目地部において、目地幅寸法等に狂いを生じていてもその狂いを吸収してしっかりとした止水状態を形成することができ、しかも、それを施工容易に実現できる、乾式の目地止水構造を提供する。【解決手段】例えば、外壁の十字目地部において、目地内空間部に面する４つの直角面部４…に取り付けられる側材２…と、中間材テープ３，３とが備えられている。各側材２は貼付け辺面部２ａと張出し辺面部２ｂとを備える断面Ｌ形をし、貼付け辺面部２ａはＬ形をして目地内直角面部４に沿わされて該面部に止水状態に貼り付けられ、張出し辺面部２ｂは貼付け辺面部２ａから目地内空間部側に張り出すＬ形をし、張出し辺面部２ｂ…間に中間材テープ３，３が貼りわたされて該張出し辺面部２ａ…間が止水されている。【選択図】      図１
2007186866.tif 000002
【特許請求の範囲】
【請求項１】
十字目地部における目地止水構造であって、
該十字目地部の目地内空間部に面して直角に向きを変える４つの目地内直角面部のそれぞれに取り付けられる止水用の４つの側材と、止水用の面状中間材とが備えられ、
各側材は貼付け辺面部と張出し辺面部とを備える断面Ｌ形をしていると共に、貼付け辺面部はＬ形をして目地内直角面部に沿わされて該直交面部に止水状態に貼り付けられ、かつ、張出し辺面部はＬ形をして貼付け辺面部から目地内空間部側に張り出し、
側材の張出し辺面部間に前記面状中間材が貼りわたされて、該張出し辺面部間が止水されていることを特徴とする乾式の目地止水構造。
【請求項２】
Ｔ字目地部における目地止水構造であって、
該Ｔ字目地部の目地内空間部に面して直角に向きを変える２つの目地内直角面部のそれぞれに取り付けられる止水用の２つの第１側材と、Ｔ字目地部の目地内空間部に面して直線状に延びる目地内直線面部に取り付けられる止水用の第２側材と、止水用の面状中間材とが備えられ、
第１、第２の各側材は貼付け辺面部と張出し辺面部とを備える断面Ｌ形をしていると共に、
各第１側材は、貼付け辺面部がＬ形をして目地内直角面部に沿わされて該直交面部に止水状態に貼り付けられ、張出し辺面部がＬ形をして貼付け辺面部から目地内空間部側に張り出し、
第２側材は、貼付け辺面部が直線形をして目地内直線面部に沿わされて該直線面部に止水状態に貼り付けられ、張出し辺面部が直線形をして貼付け辺面部から目地内空間部側に張り出し、
第１、第２の側材の張出し辺面部間に前記面状中間材が貼りわたされて該張出し辺面部間が止水されていることを特徴とする乾式の目地止水構造。
【請求項３】
直線目地部における目地止水構造であって、
目地内空間部に面して直線状に延びる目地内直線面部のそれぞれに取り付けられる止水用の側材と、止水用の面状中間材とが備えられ、
各側材は貼付け辺面部と張出し辺面部とを備える断面Ｌ形をしていると共に、
貼付け辺面部は直線形をして各目地内直線面部に止水状態に貼り付けられ、張出し辺面部は直線形をして貼付け辺面部から目地内空間部側に張り出し、
側材の張出し辺面部間に前記面状中間材が貼りわたされて該張出し辺面部間が止水されていることを特徴とする乾式の目地止水構造。
【発明の詳細な説明】
【技術分野】
【０００１】
本発明は、建物の外壁目地などに用いられる乾式の目地止水構造に関する。
【背景技術】
【０００２】
例えば、外壁目地の乾式止水構造として、従来より種々のものが提供されているが、目地幅等に狂いを生じていてもその狂いを吸収してしっかりとした止水状態を形成することができ、しかも、それを施工容易に実現することができる目地止水構造は提供されていない。
【０００３】
特に、縦目地と横目地とが交差する十字目地部では、上下の縦目地部や左右の横目地部に目地幅寸法の狂いや芯ずれを生じていることがあり、また、Ｔ字目地部においても、縦目地部と横目地部に目地幅寸法の狂いを生じていることがあり、また、縦あるいは横の直線目地部においても目地幅寸法の狂いを生じていることがあり、それらの部分をしっかりとした止水状態にするのは容易ではなかった。
【発明の開示】
【発明が解決しようとする課題】
【０００４】
本発明は、上記のような背景において、目地幅寸法等に狂いを生じていてもその狂いを吸収してしっかりとした止水状態を形成することができ、しかも、それを施工容易に実現することができる、乾式の目地止水構造を提供することを課題とする。
【課題を解決するための手段】
【０００５】
上記の課題は、十字目地部における目地止水構造であって、
該十字目地部の目地内空間部に面して直角に向きを変える４つの目地内直角面部のそれぞれに取り付けられる止水用の４つの側材と、止水用の面状中間材とが備えられ、
各側材は貼付け辺面部と張出し辺面部とを備える断面Ｌ形をしていると共に、貼付け辺面部はＬ形をして目地内直角面部に沿わされて該直交面部に止水状態に貼り付けられ、かつ、張出し辺面部はＬ形をして貼付け辺面部から目地内空間部側に張り出し、
側材の張出し辺面部間に前記面状中間材が貼りわたされて、該張出し辺面部間が止水されていることを特徴とする乾式の目地止水構造によって解決される。
【０００６】
この止水構造では、十字目地部を、側材と面状中間材とによって止水するようにしたもので、各側材と目地内直角面部との間は、目地内直角面部への側材のＬ形貼付け辺面部の貼付けによって止水状態にし、側材と面状中間材との間は、側材のＬ形張出し辺面部への面状中間材の貼付けによって止水状態にするようにしたものであるから、十字目地部を側材と中間材とによってしっかりとした止水状態にすることができる。
【０００７】
のみならず、上下の縦目地部や左右の横目地部に目地幅寸法の狂いや芯ずれを生じていても、側材の張出し辺面部と面状中間材との貼付け重なり寸法や、面状中間材の平面寸法、また、面状中間材の貼付け位置等を調整するだけで、そのような目地幅寸法の狂いや芯ずれを吸収してしっかりとした止水状態を形成することができる。
【０００８】
しかも、各側材と面状中間材とに分割されているので、各側材の貼付け辺面部を各目地内直角面部に容易に貼り付けることができると共に、面状中間材を各側材の張出し辺面部に容易に貼り付けることができ、十字目地部の止水の施工を容易に行うことができる。
【０００９】
また、上記の課題は、Ｔ字目地部における目地止水構造であって、
該Ｔ字目地部の目地内空間部に面して直角に向きを変える２つの目地内直角面部のそれぞれに取り付けられる止水用の２つの第１側材と、Ｔ字目地部の目地内空間部に面して直線状に延びる目地内直線面部に取り付けられる止水用の第２側材と、止水用の面状中間材とが備えられ、
第１、第２の各側材は貼付け辺面部と張出し辺面部とを備える断面Ｌ形をしていると共に、
各第１側材は、貼付け辺面部がＬ形をして目地内直角面部に沿わされて該直交面部に止水状態に貼り付けられ、張出し辺面部がＬ形をして貼付け辺面部から目地内空間部側に張り出し、
第２側材は、貼付け辺面部が直線形をして目地内直線面部に沿わされて該直線面部に止水状態に貼り付けられ、張出し辺面部が直線形をして貼付け辺面部から目地内空間部側に張り出し、
第１、第２の側材の張出し辺面部間に前記面状中間材が貼りわたされて該張出し辺面部間が止水されていることを特徴とする乾式の目地止水構造によって解決される。
【００１０】
この止水構造においても、Ｔ字目地部を、各側材と面状中間材とによって止水するようにしたもので、第１側材と目地内直角面部との間は、目地内直角面部への第１側材のＬ形貼付け辺面部の貼付けによって止水状態にし、第２側材と目地内直線面部との間は、目地内直線面部への第２側材の直線形貼付け辺面部の貼付けによって止水状態にし、各側材と面状中間材との間は、側材の張出し辺面部への面状中間材の貼付けによって止水状態を形成するようにしたものであるから、しっかりとした止水状態を形成することができる。
【００１１】
のみならず、縦目地部と横目地部に目地幅寸法の狂いを生じていても、各側材の張出し辺面部と面状中間材との貼付け重なり寸法や、面状中間材の平面寸法等を調整するだけで、そのような目地幅寸法の狂いを吸収してしっかりとした止水状態を形成することができる。
【００１２】
しかも、各側材と面状中間材とに分割されているので、各側材の貼付け辺面部を各目地内直角面部と目地内直線面部に容易に貼り付けることができると共に、面状中間材を各側材の張出し辺面部に容易に貼り付けることができ、Ｔ字目地部の止水の施工を容易に行うことができる。
【００１３】
また、上記の課題は、直線目地部における目地止水構造であって、
目地内空間部に面して直線状に延びる目地内直線面部のそれぞれに取り付けられる止水用の側材と、止水用の面状中間材とが備えられ、
各側材は貼付け辺面部と張出し辺面部とを備える断面Ｌ形をしていると共に、
貼付け辺面部は直線形をして各目地内直線面部に止水状態に貼り付けられ、張出し辺面部は直線形をして貼付け辺面部から目地内空間部側に張り出し、
側材の張出し辺面部間に前記面状中間材が貼りわたされて該張出し辺面部間が止水されていることを特徴とする乾式の目地止水構造によって解決される。
【００１４】
この止水構造では、直線状目地部を、側材と面状中間材とによって止水するようにしたもので、各側材と目地内直線面部との間は、目地内直線面部への側材の貼付け辺面部の貼付けによって止水状態にし、側材と面状中間材との間は、側材の張出し辺面部への面状中間材の貼付けによって止水状態にするようにしたものであるから、直線目地部を側材と中間材とによってしっかりとした止水状態にすることができる。
【００１５】
のみならず、直線目地部に目地幅寸法の狂いを生じていても、側材の張出し辺面部と面状中間材との貼付け重なり寸法や、面状中間材の平面寸法等を調整するだけで、そのような目地幅寸法の狂いを吸収してしっかりとした止水状態を形成することができる。
【００１６】
しかも、各側材と面状中間材とに分割されているので、各側材の貼付け辺面部を各目地内直線面部に容易に貼り付けることができると共に、面状中間材を各側材の張出し辺面部に容易に貼り付けることができ、直線目地部の止水の施工を容易に行うことができる。
【発明の効果】
【００１７】
本発明は、以上のとおりのものであるから、目地幅寸法等に狂いを生じていてもその狂いを吸収してしっかりとした止水状態を形成することができ、しかも、それを施工容易に実現することができる。
【発明を実施するための最良の形態】
【００１８】
次に、本発明の実施最良形態を図面に基づいて説明する。
【００１９】
図１〜図４に示す第１実施形態の目地止水構造は、十字目地部についてのもので、図１において、１…は十字状目地部を形成する４つの外壁、２…は止水用側材、３，３は止水用面状中間材としての中間材テープである。
【００２０】
側材２は、十字目地部の目地内空間部に面して直角に向きを変える４つの目地内直角面部４…のそれぞれに取り付けられるもので、４つ備えられ、各側材２は、ＣＰＰシートなどの樹脂シートの成形品からなり、貼付け辺面部２ａと張出し辺面部２ｂとを備えた断面Ｌ形をしている。そして、貼付け辺面部２ａは、目地内直角面部４に沿わされて該直角面部４に止水状態に貼り付けられるＬ形部分からなり、貼付け面にはブチルなどの止水粘着層５が設けられている。また、張出し辺面部２ｂは、貼付け辺面部２ａから目地内空間部側に張り出すＬ形部分からなる。
【００２１】
中間材テープ３は、片面にブチルなどの止水粘着層５を備えた止水テープからなっている。
【００２２】
施工は、外壁１…の建方を終えた後、本実施形態では、まず、図２（イ）（ロ）に示すように、左右と下の直線目地部に一般部用の止水材６…を取り付ける。該一般部用止水材６は、ブチルなどの止水粘着層を備えた止水テープからなっていて、図２（ハ）（ニ）に示すように、幅方向の一方の縁部６ａを目地内空間部を挟む一方の対向面部に貼り付けると共に、幅方向のもう一方の縁部６ｂをもう一方の対向面部に貼り付けることによって、これら直線目地部を止水状態にする。
【００２３】
そして、図３（イ）及び図４（イ）に示すように、十字目地部に４つの側材２…を屋外側から取り付ける。取付けは、側材２のＬ形貼付け辺面部２ａを目地内直角面部４に沿わせるようにして止水状態に貼り付けることにより行う。なお、左右と下の三方の一般部用止水材６…は、側材２…の背面側まで延ばされている。
【００２４】
しかる後、図３（ロ）及び図４（ロ）（ハ）に示すように、上下方向に向けられた中間材テープ３を、屋外側から、上側の左右の側材２，２の張出し辺面部２ｂ，２ｂと、下側の左右の側材２，２の張出し辺面部２ｂ，２ｂとに貼りわたし、次いで、図３（ハ）に示すように、左右方向に向けられた中間材テープ３を、屋外側から、左側の上下の側材２，２の張出し辺面部２ｂ，２ｂと、右側の上下の側材２，２の張出し辺面部２ｂ，２ｂとに貼りわたし、上下方向を向く中間材テープ３と十字状に粘着交差させる。
【００２５】
最後に、図３（ニ）に示すように、上側の直線目地部に上記と同様の一般部用止水材６…を屋外側から取り付ければ、止水の施工は完了である。なお、こうして止水状態にされた目地内には、仕上げとして例えば化粧ガスケットなどが取り付けられるのもよい。
【００２６】
上記の目地止水構造では、十字目地部を側材２…と中間材テープ３，３とによってしっかりとした止水状態にすることができるのはもちろん、上下の縦目地部や左右の横目地部に目地幅寸法の狂いや芯ずれを生じていても、側材２…の張出し辺面部２ｂと中間材テープ３，３との貼付け重なり寸法や、中間材テープ３の幅寸法、また、中間材テープ３の貼付け位置等を調整するだけで、そのような目地幅寸法の狂いや芯ずれを吸収してしっかりとした止水状態を形成することができる。
【００２７】
しかも、各側材２…と中間材テープ３とに分割されているので、各側材２…の貼付け辺面部２ａを各目地内直角面部４…に容易に貼り付けることができると共に、中間材テープ３を各側材２…の張出し辺面部２ｂに容易に貼り付けることができ、十字目地部の止水の施工を容易に行うことができる。
【００２８】
図５（イ）に示す第２実施形態の止水構造は、Ｔ字目地部についてのもので、左右の第１側材２，２と、下側の第２側材７と、縦横の中間材テープ３，３とを備えている。
【００２９】
各第１側材２は、Ｔ字目地部の目地内空間部に面して直角に向きを変える２つの目地内直角面部４に取り付けられるもので、第１実施形態の側材２と同様に、貼付け辺面部２ａと張出し辺面部２ｂとを備える断面Ｌ形をしており、貼付け辺面部２ａと張出し辺面部２ｂはそれぞれＬ形をしている。
【００３０】
また、第２側材７は、Ｔ字目地部の目地内空間部に面して直線状に延びる目地内直線面部８に取り付けられるもので、貼付け辺面部７ａと張出し辺面部７ｂとを備える断面Ｌ形をしており、貼付け辺面部７ａと張出し辺面部７ｂはそれぞれ直線形をしている。
【００３１】
中間材テープ３，３は、第１実施形態と同様に、片面にブチルなどの止水粘着層を備えた止水テープからなっている。
【００３２】
施工は、Ｔ字目地部に第１，第２の側材２，２，７を屋外側から取り付ける。第１側材２，２の取付けは、該側材２のＬ形貼付け辺面部２ａを目地内直角面部４に沿わせるようにして止水状態に貼り付けることにより行う。第２側材７の取付けは、該側材７の直線形貼付け辺面部７ａを目地内直線面部８に沿わせるようにして止水状態に貼り付けることにより行う。
【００３３】
しかる後、上下方向に向けられた中間材テープ３を、屋外側から、左右の第１側材２，２の張出し辺面部２ｂ，２ｂと、下側の第２側材７の張出し辺面部７ｂとに貼りわたし、次いで、左右方向に向けられた中間材テープ３を、屋外側から、下側の第２側材７の張出し辺面部７ｂと、上側の左右の側材２の張出し辺面部２ｂ，２ｂとに貼りわたして上下方向を向く中間材テープ３とＴ字状に粘着交差させれば、止水状態が形成される。
【００３４】
この止水構造においても、Ｔ字目地部を第１，第２の側材２，７と中間材テープ３とによってしっかりとした止水状態にすることができるのはもちろん、縦目地部と横目地部に目地幅寸法の狂いを生じていても、各側材２，２，７の張出し辺面部２ｂ，２ｂ，７ｂと中間材テープ３，３との貼付け重なり寸法や、中間材テープ３の平面寸法等を調整するだけで、そのような目地幅寸法の狂いを吸収してしっかりとした止水状態を形成することができる。
【００３５】
しかも、側材２，２，７と中間材テープ３とに分割されているので、各側材２，２，７の貼付け辺面部２ａ，２ａ，７ａを各目地内直角面部４と目地内直線面部８に容易に貼り付けることができると共に、中間材テープ３，３を各側材２，２，７の張出し辺面部２ｂ，２ｂ，７ｂに容易に貼り付けることができ、Ｔ字目地部の止水の施工を容易に行うことができる。
【００３６】
図５（ロ）に示す第３実施形態の止水構造は、直線状目地部、即ち目地一般部としての縦目地部についてのもので、左右の止水用側材７，７と、止水用中間材テープ３とを備えている。
【００３７】
各側材７は、縦目地の目地内空間部に面して直線状の延びる目地内直線面部８に取り付けられるもので、第２実施形態の第２側材７と同様に、貼付け辺面部７ａと張出し辺面部７ｂとを備えた断面Ｌ形をしている。中間材テープ３は第１，第２実施形態と同様のものからなっている。
【００３８】
施工は、縦目地部に左右の側材７，７を屋外側から取り付ける。取付けは、該側材７の貼付け辺面部７ａを目地内直線面部８に沿わせるようにして止水状態に貼り付けることにより行う。しかる後、中間材テープ３を、屋外側から、左右の側材７，７の張出し辺面部７ｂ，７ｂに貼りわたせば、止水状態が形成される。
【００３９】
この止水構造においても、縦目地部を左右の側材７と中間材テープ３とによってしっかりとした止水状態にすることができるのはもちろん、縦目地部に目地幅寸法の狂いを生じていても、左右の側材７，７の張出し辺面部７ｂ，７ｂと中間材テープ３との貼付け重なり寸法や、中間材テープ３の平面寸法等を調整するだけで、そのような目地幅寸法の狂いを吸収してしっかりとした止水状態を形成することができる。
【００４０】
しかも、左右の側材７，７と中間材テープ３とに分割されているので、各側材７，７の貼付け辺面部７ａ，７ａを各目地内直線面部８，８に容易に貼り付けることができると共に、中間材テープ３を各側材７，７の張出し辺面部７ｂ，７ｂに容易に貼り付けることができ、縦目地部の止水の施工を容易に行うことができる。
【００４１】
図５（ハ）に示す第４実施形態の止水構造は、直線状目地部としての横目地部についてのもので、上下の止水用側材７，７と、止水用中間材テープ３とで構成されている。その他は第３実施形態と同様であり、この場合も、横目地部の目地幅寸法等に狂いを生じていてもその狂いを吸収してしっかりとした止水状態を形成することができ、しかも、止水の施工を容易に行うことができる。
【００４２】
以上に、本発明の実施形態を示したが、本発明はこれに限られるものではなく、発明思想を逸脱しない範囲で各種の変更が可能である。例えば、上記の実施形態では、断面Ｌ形の側材２，７が、その貼付け辺面部２ａ，７ａを屋外側、張出し辺面部２ｂ，２ｂを屋内側に位置させるように取り付けられている場合を示したが、断面Ｌ形側材は、貼付け辺面部２ａ，７ａを屋内側、張出し辺面部２ｂ，２ｂを屋外側に位置させるように取り付けられていてもよい。
【００４３】
また、上記の実施形態では、外壁目地に用いた場合を示したが、本発明の目地止水構造は、外壁目地等の垂直面に備えられた目地部に限らず、水平面や傾斜面等に備えられた各種目地部の止水にも用いることができるものである。
【図面の簡単な説明】
【００４４】
【図１】第１実施形態の目地止水構造を示す分解斜視図である。
【図２】図（イ）及び図（ロ）は、図３（イ）〜（ニ）と共に施工方法を順次に示す正面図、図（ハ）及び図（ニ）は一般部用止水材の施工方法を順次に示す平面図である。
【図３】図（イ）〜図（ニ）は、図２（イ）（ロ）と共に施工方法を順次に示す正面図である。
【図４】図（イ）〜図（ハ）は同じく施工方法を順次に示す平面図である。
【図５】図（イ）は第２実施形態の目地止水構造を示す正面図、図（ロ）は第３実施形態の目地止水構造を示す正面図、図（ハ）は第４実施形態の目地止水構造を示す正面図である。
【符号の説明】
【００４５】
２…側材
２ａ…貼付け辺面部
２ｂ…張出し辺面部
３…中間材テープ（面状中間材）
４…目地内直角面部
５…止水粘着層
７…側材
７ａ…貼付け辺面部
７ｂ…張出し辺面部
８…目地内直線面部
【図１】
2007186866.tif 000003
【図２】
2007186866.tif 000004
【図３】
2007186866.tif 000005
【図４】
2007186866.tif 000006
【図５】
2007186866.tif 000007